(57)【要約】【課題】吸塵性能とともに多種多様な塵の分離性能を向上することが可能な電気掃除機を得ることにある。【解決手段】旋回しつつ流れる気流の進行方向に気流を流出させながら、この気流中に含まれている塵を分離する直進流式のサイクロン分離装置を備える。この分離装置が備える分離筒体３１に、この筒体の軸方向に位置をずらして第１、第２の塵出口４５，４８を設ける。第１塵出口４５を分離筒体３１の接線方向に延びる導出壁４６を有して形成する。第１塵出口から、主として、気流に乗って運動し易い性質を持つ微細な紙ごみや綿ごみ等を取り出す。第２塵出口４８を分離筒体３１にこの筒体の半径方向に開口して形成する。第２塵出口から、主として、気流に乗って運動し難い性質を持つ砂や埃等を取り出す。これら第１、第２の塵出口４５，４８を通った塵を個別に溜める第１、第２の塵溜め部５１，５５を備える。【選択図】　　図６
2004129853.tif 000002
【特許請求の範囲】
【請求項１】
吸塵口を有する掃除機本体に取付けられた電動送風機の上流側にサイクロン分離装置を配置し、
このサイクロン分離装置が、
軸方向一端部に前記吸塵口と連通する気流入口を有し、前記電動送風機側に配置される軸方向他端部に気流出口を有した分離筒体と、
前記気流入口を通って導入された含塵空気を前記分離筒体内で旋回させる旋回流形成手段と、
前記分離筒体にこの筒体の接線方向に延びる導出壁を有して形成された第１塵出口と、
この第１塵出口とは前記分離筒体の軸方向に位置をずらして前記分離筒体にこの筒体の半径方向に開口して形成された第２塵出口と、
前記分離筒体の回りに設けられ前記第１塵出口を通った塵を溜める第１塵溜め部と、
前記分離筒体の回りに設けられ前記第２塵出口を通った塵を溜める第２塵溜め部と、
を具備している電気掃除機。
【請求項２】
前記第１塵出口を前記第２塵出口の上流側に設けた請求項１に記載の電気掃除機。
【請求項３】
吸塵口を有する掃除機本体に取付けられた電動送風機の上流側にサイクロン分離装置を配置し、
このサイクロン分離装置が、
軸方向一端部にこの軸方向に延びて前記吸塵口と連通する気流入口を有し、前記電動送風機側に配置される軸方向他端部に分離円筒及びこの分離円筒の内部に設けられる気流出口を有した分離筒体と、
３６０度以上捩られていて、前記分離円筒の上流側に位置して前記分離筒体に内蔵され前記気流入口を通って導入された含塵空気を旋回させる螺旋翼と、
この螺旋翼に対向して、前記分離筒体にこの筒体の接線方向に延びる導出壁を有して形成された第１塵出口と、
前記分離円筒にこの円筒の半径方向に開口して形成された第２塵出口と、
前記分離筒体の回りに設けられ前記第１塵出口を通った塵を溜める第１塵溜め部と、
前記分離筒体の回りに設けられ前記第２塵出口を通った塵を溜める第２塵溜め部と、
を具備している電気掃除機。
【発明の詳細な説明】
【０００１】
【発明の属する技術分野】
本発明は、電動送風機の運転に伴って吸引される含塵空気を旋回させることにより塵を分離しながら掃除をするサイクロン分離装置を備えた電気掃除機に関する。
【０００２】
【従来の技術】
従来のサイクロン分離装置を備えた電気掃除機は、サイクロン分離装置と電動送風機とをそれらの軸方向が夫々上下方向となる姿勢で設けている。これにより、掃除機本体の前方に開放する吸塵口から水平方向に吸込まれる気流は、略９０°方向変換されてサイクロン分離装置の有底円筒形集塵カップにその上方から下向きに供給される。この供給に伴いサイクロン分離装置の旋回流形成手段により集塵カップの内周面に沿って旋回する旋回流が作られる。この旋回流は、集塵カップの下部で反転してこのカップの径方向中央部を上昇し、集塵カップの上端開口を閉じているフィルターで覆われた気流出口を通って集塵カップ外に流出する。この後、流出した気流はダクトを介して電動送風機に吸込まれ、この送風機を通って掃除機本体外に排出される。
【０００３】
こうした気流の流れにより、集塵カップ内で気流とこれに含まれる塵とを遠心力を利用して分離して、分離された塵を集塵カップ内に溜めるようにしている（例えば、特許文献１参照。）。
【０００４】
【特許文献１】
特開２００２−１７６２６号公報（段落００３３−００３９、００５０、００５６、図１、図１１、図１２）
【０００５】
【発明が解決しようとする課題】
特許文献１に記載のサイクロン分離装置は、その集塵カップ内で作られて下向きに旋回する気流を反転上昇させるので、塵を遠心分離し易い一方で、圧力損失が大きい。このため、電動送風機の吸込み仕事率が良くないことに伴って、吸塵性能を向上させるには不利である。
【０００６】
この改善のために本発明者は、旋回しつつ流れる気流の進行方向に気流を流出させるようにした、いわゆる直進流式のサイクロン分離装置を採用する電気掃除機を提案するに至った。この種の直進流式サイクロン分離装置では、その内部を流れる気流の直進エネルギーが大きいので圧力損失の低減が可能である。しかしこの反面で気流の旋回エネルギーが小さいので、気流に対する塵の分離性能はよくない。
【０００７】
ところで、電気掃除機が吸塵する塵は、髪の毛、紙ごみ、綿ごみ、砂、埃など様々な種類があるだけではなく、同じ塵でも丸まっていたリ、延びていたりするなど形態が異なり、更に前記各種類の２種以上が複合していたりする等、多様である。このように多種多様な塵は、夫々に応じて気流に乗って運動し易かったり、絡み付き易かったり、気流に乗りがたかったりする等、気流に対する性質・物性も夫々異なっている。
【０００８】
そして、特許文献１に記載の反転流式サイクロン分離装置を備えた電気掃除機でも、現状は、全ての種類の塵を充分に分離することは不可能な段階にあるので、これよりも分離性能が低い直進流式サイクロン分離装置を搭載した電気掃除機では、更に塵の分離性能が低下すると考えられている。
【０００９】
本発明が解決しようとする課題は、吸塵性能とともに多種多様な塵の分離性能を向上することが可能な電気掃除機を得ることにある。
【００１０】
【課題を解決するための手段】
前記課題を解決するために、本発明は、いわゆる直進流式のサイクロン分離装置を備え、この分離装置の分離筒体に、この分離筒体の軸方向に位置をずらして第１、第２の塵出口を設け、第１塵出口を分離筒体の接線方向に延びる導出壁を有して形成するとともに、第２塵出口を分離筒体にこの筒体の半径方向に開口して形成し、かつ、これら塵出口を通った塵を個別に溜める第１、第２の塵溜め部を備えている。
【００１１】
本発明で、直進流式のサイクロン分離装置とは、旋回しつつ流れる気流の進行方向に気流を流出させながら、この気流中に含まれている塵を分離することが可能なサイクロン分離装置を意味している。この分離装置内を流動する実質的な直進流は、掃除機本体に対して上下方向、又は水平方向、或いは斜め方向のいずれであってもよい。本発明で、分離筒体は、その内部を気流が旋回できる筒状であれば、円筒体でも角筒体でもよいが、特に軸方向と直交する断面において長軸と短軸との差が少ない楕円円筒体がよく、中でも前記断面真円の円筒体を用いることが好ましい。
【００１２】
本発明で、旋回流形成手段は、気流入口を通って分離筒体内に流入された含塵空気に旋回運動を付与するものであり、分離筒体内にこの筒体の中心軸線に対して同軸に或いは多少ずらして配置される螺旋翼、プロペラ等を用いることができる他、気流入口で兼ねることができる。この場合、気流入口は、これを通る含塵空気が分離筒体を直進しようとする成分を多く含むような斜めの姿勢で分離筒体に設ければよい。本発明で、気流入口は、分離筒体の周壁又は入口側端壁に接続して設けることが可能である。本発明で、気流出口は、分離筒体の出口側に開けた開口で形成できる他、前記出口側に上流に向けて突設されて分離筒体の径方向中央部に位置する筒体で形成してもよく、或は前記出口に上流に向けて突設されて分離筒体の径方向中央部に位置される例えば円錐状のフィルター体で作ることも可能である。
【００１３】
本発明で、第１塵出口と第２塵出口とは、分離筒体の軸方向に互いに位置をずらして設けられるものであって、気流の直進方向に対する並びの順序は問わない。本発明で、第１塵出口は、これに専用に対応する第１塵溜め部に直接接続できる他、実質的に第１塵出口と見做し得る第１出口通路を介して間接的に第１塵溜め部に接続することも可能であり、同様に第２塵出口も、これに専用に対応する第２塵溜め部に直接接続できる他、実質的に第２塵出口と見做し得る第２出口通路を介して間接的に第２塵溜め部に接続することも可能である。
【００１４】
本発明では、分離筒体内をその軸方向一端部から他端部に向けて直進状に気流を流通させる過程で、この気流に旋回流形成手段で旋回運動を与えて、気流中の塵を遠心分離し、分離された塵を第１、第２の塵出口から第１塵受け部又は第２塵受け部に個別に取出す。このため、分離筒体内での気流の直進エネルギーが大きく、したがって、圧力損失の低減が可能である。
【００１５】
更に、第１塵出口は、主として旋回する気流の不充分な遠心分離作用でも分離筒体の内周面に向けて速やかに寄せられてこの内周面に沿って移動される軽い塵、つまり、気流に乗って運動し易い性質を持つ微細な紙ごみや綿ごみ等を、その慣性により分離筒体の接線方向に延びる導出壁に案内させて、効果的に第１塵溜め部に取出し可能である。分離筒体の半径方向に開口した第２塵出口は、主として旋回する気流の充分な遠心分離作用で分離筒体の内周面に向けて寄せられてこの内周面に沿って移動される比較的重い塵、つまり、気流に乗って運動し難い性質を持つ砂や埃等を通過させて、効果的に第２塵溜め部に取出し可能である。
【００１６】
【発明の実施の形態】
以下、図１〜図６を参照して本発明の一実施形態を説明する。
【００１７】
図１中符号１で示す電気掃除機が備える掃除機本体２は、移動用車輪３が取付けられているとともに図示しない排気部を有した後ケース４と、下面にキャスタ５が取付けられた前ケース６とを備えている。
【００１８】
前ケース６は後ケース４に着脱可能に取付けられている。前ケース６は、後ケース４に接続された状態で後述する分離装置のフィルターボックスを上方から覆って配置されるボックスカバー部６ａを有している。この前ケース６には例えば前方に指向する吸塵口７が設けられている。吸塵口７には、これを通って吸込まれる含塵空気を導く吸塵ホースなどの気流導入手段８が取外し可能に接続される。
【００１９】
後ケース４には、電動送風機１１がその吸気口（図示しない）を例えば前方に向けて内蔵されている。更に後ケース４には、直進流式のサイクロン分離装置（以下、分離装置と略称する。）１２が、その一部例えば後部を後ケース４に収容するとともに前部を後ケース４の前方に突出させて支持されている。本実施形態では電動送風機１１と分離装置１２とは互いに連結されてユニット化されている。この連結により電動送風機１１は分離装置１２の中心軸線の延長線上に配置されている。この場合、電動送風機１１の中心軸線と分離装置１２の中心軸線とは、平行にずれていても、或いは斜めに交差する関係にあってもよいが、好ましい例として両軸線が略一致するように電動送風機１１と分離装置１２とは配置されている。
【００２０】
図２〜図４等に示すように分離装置１２は、ベース２１、分離筒体３１、旋回流形成手段をなす螺旋翼４１、第１塵出口４５、第２塵出口４８、第１塵溜め部５１、及び第２塵溜め部５５を備えている。
【００２１】
ベース２１は、台部２２と、ファイルターボックス２３と、送風機取付け部２４とで作られている。台部２２の内部空間は、隔壁２５により互いに独立していて連通してない閉空間の第１、第２の塵溜め部５１、５５に分割されている。図３及び図４において第１塵溜め部５１は第２塵溜め部５５の前側に形成されている。ベース２１の底板２１ａは着脱可能に設けられている。この底板２１ａは前ケース６を取外した状態でベース２１に対して着脱される。この取外しによって第１、第２の塵溜め部５１、５５内の塵を夫々排出できるようになっている。
【００２２】
フィルターボックス２３は台部２２に対して例えば上向きで直角に連なって設けられている。このボックス２３の先端（上端）にはボックス蓋２３ａが取外し可能に取付けられている。このボックス蓋２３ａは前記ボックスカバー部６ａで覆われる。
【００２３】
フィルターボックス２３にはフィルター２６（図１及び図６参照）がその洗浄などによる再生や交換のために出し入れ可能に収容されている。フィルター２６は分離筒体３１から電動送風機１１に吸込まれる気流に含まれる塵を捕捉するものである。このフィルター２６は、単層でも多層でもよいとともに、塵の他に気流中の臭い成分を除去するなど他の機能を持っていてもよい。
【００２４】
送風機取付け部２４はフィルターボックス２３の背面に設けられている。この取付け部２４には電動送風機１１が接続されている。
【００２５】
分離筒体３１は、その軸方向一端側部分で作られるサイクロン上流部３１ａ、及び分離筒体３１の軸方向他端側部分で作られるサイクロン下流部３１ｂを備えている。この分離筒体３１は、台部２２上でかつフィルターボックス２３の上流側に位置してベース２１に取付けられている。
【００２６】
サイクロン上流部３１ａは、円錐台状部と、この円錐台状部の終端に連続する終端部３２とを有している。円錐台状部は、その入口側端壁３３からサイクロン下流部３１ｂに向かうに従い軸方向と直交する方向の断面積を次第に大きくして形成されていて、このため、円錐台状部の風路断面積は下流側に向けて徐々に拡大している。図２及び図６（Ａ）等に示すようにサイクロン上流部３１ａの終端部３２は、分離筒体３１の軸線を中心とする半径を次第に大きくして形成されている。サイクロン上流部３１ａの入口側端壁３３の外面には、分離筒体３１の軸線を共有して軸方向に延びる筒状の気流入口３４が例えば一体に突設されている。この気流入口３４は分離筒体３１の軸方向一端部に配置されていて、これには掃除機本体２の組立てに伴って前ケース６の吸塵口７が接続される。
【００２７】
サイクロン下流部３１ｂは、径に変化がない分離円筒３５と、円筒からなる気流出口３６とを有している。分離円筒３５は、分離筒体３１の軸線を共有し、かつ、終端部３２の下流側に連続して設けられていて、更に、この分離円筒３５の下流側の端はフィルターボックス２３に支持されている。分離筒体３１の軸方向他端部に設けられる気流出口３６は分離筒体３１の軸線を共有して分離円筒３５内にこれと同心的に配置されている。この気流出口３６はフィルターボックス２３内と連通してこのボックス２３に支持されている。これにより、気流出口３６を通った気流がフィルターボックス２３内に吸込まれるようになっている。
【００２８】
螺旋翼４１は、図５等に示すように一端から他端に向けて次第に径が大きくなる中心軸４２の周囲に、３６０°以上に捩られたスパイラル状をなす１枚の翼板４３を設けるとともに、中心軸４２の小径な一端に翼板４３の先端と連続する斜状のガイド４４を設けて形成されている。図３及び図４に示すように螺旋翼４１は、サイクロン上流部３１ａ内に挿入して、ガイド４４を気流入口３４に対向させるとともに、翼板４３をサイクロン上流部３１ａの内周面に接触させて取付けられている。この取付けにより、サイクロン上流部３１ａ内には翼板４３に沿った螺旋状の風路が形成される。中心軸４２の下流側端は、気流出口３６に対して軸方向に離れていて、この離間部分を通してサイクロン下流部３１ｂの径方向中央部であって、かつ、気流出口３６の外側の気流が気流出口３６に吸込まれるようになっている。
【００２９】
第１塵出口４５は、サイクロン上流部３１ａと第１塵溜め部５１とを連通している。詳しくは、図３及び図６（Ａ）に示すようにガイド４４を基準に捩られた角度が３６０°を超える翼板４３部分、より好ましくは、サイクロン上流部３１ａの終端部３２と第１塵溜め部５１とを接続して、第１塵出口４５が設けられている。この第１塵出口４５は、分離筒体３１の軸線を中心とする半径を次第に大きくして形成された終端部３２の周方向に開口しているとともに、終端部３２の周壁の接線方向に延びる導出壁４６を有して作られている。好ましい例として第１塵出口４５は上下方向に延びており、その上端が終端部３２に接続され、下端が第１塵溜め部５１に接続されている。これにより、分離された塵をその重さなどを利用して第１塵溜め部５１に導くことが可能である。
【００３０】
第２塵出口４８は、サイクロン下流部３１ｂと第２塵溜め部５５とを連通している。詳しくは、図４及び図６（Ｂ）に示すように第２塵出口４８は、分離円筒３５の下流側部位にこの円筒３６の半径方向に開口して設けられている。好ましい例として第２塵出口４８は上下方向に延びており、その上端が分離円筒３５に接続され、下端が第２塵溜め部５５に接続されている。これにより、分離された塵をその重さなどを利用して第２塵溜め部５５に導くことが可能である。第１、第２の塵出口４５、４８は、分離筒体３１の軸方向、言い換えれば、この筒体３１内を直進する気流に流れ方向に沿って直列に並べられている。
【００３１】
前記構成の電気掃除機１は、その電動送風機１１を運転することにより、図示しない吸込み口体及び気流ガイド手段８を通して被掃除面の塵を空気とともに吸込んで掃除できる。
【００３２】
詳しくは、電動送風機１１の吸気力によって吸塵口７から分離装置１２の気流入口３４に吸込まれた含塵気流は、スパイラル状の翼板４３に沿ってサイクロン上流部３１ａ内を旋回した後、この翼板４３の後側に連続しているサイクロン下流部３１ｂの分離円筒３５の内周面に沿って旋回し、更に、このサイクロン下流部３１ｂ内の気流出口３６を通って分離筒体３１外に流出する。こうして流出した気流は、フィルターボックス２３内を通過して電動送風機１１に吸込まれ、この後電動送風機１１から出て掃除機本体２外に排出される。
【００３３】
以上のように気流入口３４から流入してサイクロン上流部３１ａ内で翼板４３により旋回されつつ流れる気流は、サイクロン上流部３１ａでの進行方向に位置するサイクロン下流部３１ｂを経て気流出口３６から流出される。即ち、分離筒体３１から電動送風機１１に至る気流は実質的に直進的に流れる。
【００３４】
このような直進流は、サイクロン上流部３１ａ内では螺旋気流となっているが、そこでは分離筒体３１の軸方向に沿う直進方向成分と翼板４３の傾斜に沿った遠心方向成分とを有している。特に、本実施形態では気流出口３６に向けて直進しようとする気流を基に遠心方向成分が生じるので、直進方向成分の方が大である。このため、気流が反転する場合に比較して圧力損失が小さい。しかも、気流入口３４が分離筒体３１の軸方向に延びているので、この入口３４からサイクロン上流部３１ａに気流が流入する際の圧力損失も小さい。このため、電動送風機１１の吸込み仕事率を高めることができ、それに伴って吸塵性能を向上することが可能である。
【００３５】
既述のようにサイクロン上流部３１ａ内の直進成分を多く含んだ螺旋気流によって、この気流中に含まれる塵には遠心作用が働く。しかし、掃除機本体２の長さとの兼ね合いで翼板４３の軸方向長さを無闇に長くすることは実用上できないので、翼板４３による気流の旋回回数は精々１回以上数回以下と少ない。
【００３６】
このため、気流中の全ての種類の塵に対して十分な遠心力を与えて、全ての種類の塵を分離円筒３１の内周面にまで移動させることは難しい。具体的には、この段階では、気流に容易に乗って運動し易い性質を持った微細な紙ごみや糸くず並びに髪の毛等の軽い塵を、分離円筒３１の内周面にまで寄せることは可能である。しかし、気流に乗り難い砂や比較的大きい塵等のように重い塵の全てを、分離円筒３１の内周面にまで寄せることは難しい。
【００３７】
ところで、第１塵出口４５は、分離筒体３１の軸方向中間部に設けられていて、分離筒体３１の接線方向、正確にはサイクロン上流部３１ａの終端部３２の半径が拡大した周壁の接線方向に延びる導出壁４６を有している。このため、主として終端部３２の内周面に沿って流れる例えばひらひらした紙くず等で代表される軽い塵を、その慣性によって導出壁４６に沿わせて、第１塵出口４５に通して第１塵受け部５１に排出させることができる。これとともに終端部３２の半径が拡大した周壁内面に既に到達している重い塵の一部も、同様に、第１塵出口４５に通して第１塵受け部５１に排出できる。
【００３８】
この第１塵出口４５での塵の取出しの場合、第１塵受け部５１が閉空間であって風が通り抜けないことに伴い、第１塵受け部５１には塵が入り難い傾向がある。それにも拘らず、旋回しつつサイクロン上流部３１ａの内周面に寄せられた塵を、その慣性で導出壁４６に沿わせて導くので、図６（Ａ）中矢印で示す経路で確実に塵を第１塵受け部５１に排出できる。
【００３９】
サイクロン上流部３１ａから第１塵受け部５１に排出されなかった塵は、サイクロン下流部３１ｂに直進して流入する。サイクロン下流部３１ｂでは径に変化がない（つまり、風路断面積が拡大しない）分離円筒３５の内周面に沿って気流が旋回するので、ここでの気流の旋回回数及び速度はサイクロン上流部３１ａに比較して増える。これにより、サイクロン上流部３１ａよりも強い遠心分離作用をサイクロン下流部３１ｂ内の塵に付与できる。このため、砂などの重い塵を、分離円筒３５の内周面に確実に寄せて、図６（Ｂ）中矢印で示す経路で第２塵出口４８に例えば落ち込むように通して第２塵受け部５５に確実に排出できる。
【００４０】
こうしてサイクロン下流部３１ｂで塵が分離された気流は、サイクロン上流部３１ａでの気流の進行方向に沿って気流出口３６を通って流出し、フィルターボックス２３を経て電動送風機１１に直進的に吸込まれる。この吸込み気流中に含まれている微細で極めて軽い塵などは、フィルターボックス２３内のフィルター２６により捕捉される。
【００４１】
以上のように前記電気掃除機１では、多種多様な性質、物性の塵を、１度に分離筒体３１から取出すのではなく、塵に作用する遠心分離の程度に応じて複数回に分けて取出している。具体的には、気流の旋回数が少ないサイクロン上流部３１ａと、気流の旋回数が多いサイクロン下流部３１ｂとに、塵の性質、物性に見合った構成の塵出口４５、４８を設けて、これらから夫々に対応した性質、物性の塵を第１、第２の塵溜め部５１、５５に個別に取出している。
【００４２】
このように塵の性質、物性に見合った分離をしているので、直進する気流から実際に分離できる塵の種類及び分離量などを増やすことができる。こうした分離性能の向上により、電動送風機１１の吸込み性能を劣化させるフィルター２６の早期の目詰まりを抑制できるとともに、ユーザーによるフィルター２６の交換或いは洗浄などのメンテナンス作業の頻度も軽減可能である。
【００４３】
しかも、本実施形態では、旋回気流の旋回数が少ないサイクロン上流部３１ａに第１塵出口４５を設け、旋回気流の旋回数が多いサイクロン下流部３１ｂに第２塵出口４８を設けたので、はじめに、軽くひらひらした紙ごみ等が、電動送風機１１の間近に配設された第２塵出口４８よりも上流側の第１塵出口４５で分離され排出される。これにより軽くひらひらした紙ごみ等がフィルター２６に吸付けられて、電動送風機１１の吸込み性能を劣化させることを抑制し易い点で優れている。
【００４４】
本発明は前記一実施形態に制約されない。例えば、第１、第２の塵出口の夫々の数、及びこれらに個別に対応する各塵溜め部の数は問わない。又、本発明は、キャニスタ型以外の電気掃除機、例えば、ステック型、ハンディ型、アップライト型の電気掃除機にも適用可能である。
【００４５】
【発明の効果】
本発明によれば、吸塵性能とともに多種多様な塵の分離性能を向上可能な電気掃除機を提供することが可能である。
【図面の簡単な説明】
【図１】本発明の一実施形態に係る電気掃除機を一部切欠して示す側面図。
【図２】図１の電気掃除機が備えるサイクロン分離装置を示す斜視図。
【図３】図２のサイクロン分離装置を一部切欠して示す斜視図。
【図４】図２のサイクロン分離装置を一部切欠して示す斜視図。
【図５】図２のサイクロン分離装置の一部を分解して示す斜視図。
【図６】（Ａ）は図２のサイクロン分離装置の第１塵出口及び第１塵溜め部回りを示す断面図。
（Ｂ）は図２のサイクロン分離装置の第２塵出口及び第２塵溜め部回りを示す断面図。
【符号の説明】
１…電気掃除機
２…掃除機本体
７…吸塵口
１１…電動送風機
１２…サイクロン分離装置
３１…分離筒体
３１ａ…サイクロン上流部
３１ｂ…サイクロン下流部
３２…サイクロン上流部の終端部
３３…サイクロン上流部の入口側端壁
３４…気流入口
３５…サイクロン下流部の分離円筒
３６…気流出口
４１…螺旋翼（旋回流形成手段）
４５…第１塵出口
４６…導出壁
４８…第２塵出口
５１…第１塵溜め部
５５…第２塵溜め部
【図１】
2004129853.tif 000003
【図２】
2004129853.tif 000004
【図３】
2004129853.tif 000005
【図４】
2004129853.tif 000006
【図５】
2004129853.tif 000007
【図６】
2004129853.tif 000008